(57)【要約】  作業用車両のための迅速連結器が、二つのロックピンを有し、当該ロックピンが、当該ロックピンの少なくとも二つの位置を定めるために作動手段によって作動させられるリンク機構によって作動させられる。これらの位置は、当該ピンが引っ込められた解除位置と、当該ピンが突き出て、ロックすべき装置または工具と係合するロック位置とである。【選択図】図25
2012515864.tif 000002
【特許請求の範囲】
【請求項１】
作業用車両および一般に機械類のための迅速連結器であって、
一つ以上のロックピンを有し、当該ロックピンが、当該ロックピンの少なくとも二つの位置を定めるために作動手段によって作動させられるリンク機構によって作動させられ、これらの位置が、当該ピンが引っ込められた解除位置と、当該ピンが突き出て当該作業用車両または機械と係合している装置と係合するロック位置とである、
ことを特徴とする迅速連結器。
【請求項２】
ボディーに形成された空洞内に摺動自在に配置された二つのピンを有し、各ピンが内端と外端とを有し、当該内端は互いに対面しているが、当該外端は、当該連結器が当該ロック位置にあるとき、当該ボディーから突き出ており、複動液圧シリンダーが当該ボディーに取り付けられた支持円筒に取り付けられ、当該液圧シリンダーがスライダーに連結されたピストンを有し、当該スライダーが当該ピストンの作用下で当該支持円筒内を摺動するのに適しており、二つのリンクが当該スライダーと当該ピンの当該内端とに関節でつながれており、当該ピストンの運動により、当該ピンが当該空洞内を摺動して、当該空洞を出ることにより、当該装置に備えられたそれぞれの係合受け座にはいる、
ことを特徴とする請求項1に記載の迅速連結器。
【請求項３】
当該ピンが事実上無垢で滑らかであることを特徴とする請求項2に記載の迅速連結器。
【請求項４】
液圧ピストンを有し、当該ピストンが、一つのステムによって、二つのレバーアームを作動させ、各レバーアームがそれぞれのピンに軸ピン取り付けされ、当該ピンが横断方向空洞内を摺動して、当該空洞を出ることにより、当該装置に備えられたそれぞれの係合受け座にはいることを特徴とする請求項1に記載の迅速連結器。
【請求項５】
安全機構を有し、当該安全機構が、当該ピンが当該係合受け座から偶発的にはずれることを防止するのに適していることを特徴とする請求項1から4の中のいずれか一つに記載の迅速連結器。
【請求項６】
当該安全機構が、ばねとそれぞれのピンに接続された剛性要素とを有し、当該ばねが延びることによって作用し、当該ばねが圧縮されると、当該迅速連結器が解除されて、当該装置にはいることが可能になり、当該ピストンの運動時に、当該ばねが延びて、当該ピストンの作用を助け、当該迅速連結器の係合とロックの動作のために当該ばねの力を当該ピンに及ぼし、当該ばねが完全に延びきったとき、当該ばねがロック方向に押しつづけるため、当該ピンはもはや引っ込み、その受け座から摺動して出て、当該装置を自由にすることはできないことを特徴とする請求項1から5の中のいずれか一つに記載の迅速連結器。
【請求項７】
二つの液圧ピストンを有し、当該ピストンが、それぞれのステムによって、二つのそれぞれのレバーアームを作動させ、各レバーアームがそれぞれのピンに軸ピン取り付けされ、当該ピンが横断方向空洞内を摺動し、当該空洞を出ることによって、当該装置に形成されたそれぞれの係合受け座にはいり、当該レバーアームが相互に軸ピン旋回することを特徴とする請求項1から6の中のいずれか一つに記載の迅速連結器。
【請求項８】
当該ピンの摺動方向に平行に配置された二つの液圧ピストンを有し、当該ピストンが、それぞれのステムにより、それぞれのレバーアームを作動させ、当該レバーアームが軸ピン取り付け点において相互に軸ピン旋回し、当該アームがそれらの自由端においてそれぞれの第二のレバーアームに軸ピン取り付けされ、当該第二のレバーアームがそれぞれのピンに軸ピン取り付けされ、当該ピンがそれぞれの横断方向空洞内を摺動して、当該空洞を出ることにより、当該装置に備えられたそれぞれの係合受け座にはいることを特徴とする請求項1から7の中のいずれか一つに記載の迅速連結器。
【請求項９】
相互に平行で、かつ当該ピンの摺動方向に平行に配置された二つの液圧ピストンを有し、当該二つのピストンがそれぞれのピンを直接に作動させ、当該ピンがそれぞれの横断方向空洞内を摺動して、空洞を出ることによって、当該装置に備えられたそれぞれの係合受け座にはいることを特徴とする請求項1から8の中のいずれか一つに記載の迅速連結器。
【請求項１０】
単一の液圧ピストンを有し、当該液圧ピストンが、二つの相互に逆向きに作動するステムを有し、当該ステムがそれぞれのロックピンに直接作用することを特徴とする請求項1から9の中のいずれか一つに記載の迅速連結器。
【請求項１１】
一つの作動レバーを有し、当該レバーが作動ステムを有し、当該ステムの自由端が、中心のまわりに回転する要素に軸ピン取り付けされ、二つのレバーアームの端が当該回転要素の半径方向反対位置に軸ピン取り付けされ、当該アームの自由端がそれぞれのピンに軸ピン取り付けされ、当該作動レバーの動作により、当該回転要素の回転したがって当該ピンの摺動運動が起こり、当該ボディーのロックおよび解除がなされることを特徴とする請求項1から10の中のいずれか一つに記載の迅速連結器。
【請求項１２】
補助ばねを有し、当該ばねが、斜めに取り付けられて、当該レバー機構の運動を助けるようになっており、当該補助ばねが、ピストンの当該ステムが引っ込んで当該ピンを解除位置に引っ込めるときに、解除中のアームの運動を助けることを特徴とする請求項1から11の中のいずれか一つに記載の迅速連結器。
【請求項１３】
ウォームスクリューを有し、当該ウォームスクリューが当該ピンと同軸に配置され、当該スクリューの端が当該ピンに連結されており、当該ウォームスクリューの回転により、当該ピンの軸方向運動が起こり、当該ピンがそれぞれの横断方向空洞内を摺動し、当該空洞を出ることにより、当該装置に形成されたそれぞれの係合受け座にはいり、当該ウォームスクリューを、手操作によっても、当該機械の内部または外部にある機械的作動機構によっても作動させることができることを特徴とする請求項1から12の中のいずれか一つに記載の迅速連結器。
【請求項１４】
ラック機構を有し、当該ラック機構が、スプロケットを作動させるラックからなり、当該スプロケットがシャフトに継手連結され、当該シャフトが当該ピンと同軸であり、当該シャフトの端が当該ピンに連結されており、当該シャフトの回転により、当該ピンの軸方向運動が起こり、当該ピンがそれぞれの横断方向空洞内を摺動し、当該空洞を出ることにより、当該装置に備えられたそれぞれの係合受け座にはいり、当該ラックを、手操作によっても、当該機械の内部または外部にある機械的作動機構によっても作動させることができることを特徴とする請求項1から13の中のいずれか一つに記載の迅速連結器。
【発明の詳細な説明】
【技術分野】
【０００１】
本発明は、作業用車両および一般に機械類のための迅速連結器に関する。
【０００２】
本発明による連結器は、工具を頻繁に交換する必要のある、土木、農業、吊り上げにおけるすべての作業車両に使用することができる。
【背景技術】
【０００３】
従来の迅速連結器は、工具を機械に連結する独立の構造物からなる。
【０００４】
US-3272264号明細書には、ブルドーザーに取り付けられる枠組みからなる、いろいろな工具をブルドーザーに着脱自在に取り付けるための、ラッチ機構が開示されている。US-3272264号明細書のこのラッチ機構は、かなりかさばり、大きな工具、たとえば、一般にブルドーザーで使用されるブレードまたはスキップローダーバケットに適している。
【０００５】
EP-1258567号明細書には、作動器を構成する液圧シリンダーに挿入されるキャップ形の連結器ピンを有する迅速連結器が開示されている。この連結器ピンは、また、当該液圧システムのピストンとしても働く。そのような構成は、連結器ピンを弱くするものである。
【０００６】
WO2007/038960号明細書には、機械と工具との間に配置される独立の構造物からなる従来の迅速連結器内で、工具を機械にロックするための安全機構が開示されている。そのような迅速連結器は、事実上、機械とその工具とのもとの形態を変えるものである。
【発明の開示】
【発明が解決しようとする課題】
【０００７】
本発明の包括的目的は、機械と工具との間に連結体を追加することなく、機械の一体部分となる迅速連結器を提供することである。
【０００８】
そのような包括的目的の範囲内で、本発明の一つの個別的目的は、構造の簡単な信頼性の高い連結器を提供することである。
【課題を解決するための手段】
【０００９】
この包括的目的ならびに前記その他の個別的目的は、以下でさらにはっきりと理解されるであろう。これらの目的は、作業用車両および一般に機械類のための迅速連結器であって、一つ以上のロックピンを有し、当該ロックピンが、当該ロックピンの少なくとも二つの位置を定めるために作動手段によって作動させられるリンク機構によって作動させられ、これらの位置が、当該ピンが引っ込められた解除位置と、当該ピンが突き出て当該作業用車両または機械と係合している装置と係合するロック位置とであることを特徴とする迅速連結器によって、達成される。
【発明を実施するための最良の形態】
【００１０】
さらなる特徴と利点とは、添付の図面に非限定例として示す、本発明の好ましい非排他的実施形態に関する説明からさらにはっきりするであろう。
【００１１】
添付の図面において、全体を参照番号1で示す本発明の迅速連結器は、一つ以上のロックピン2を有し、これらのピンは、リンク機構3によって作動させられる。リンク機構3は、当該ロックピンの少なくとも二つの位置を定めるために作動手段4によって作動させられる。これらの二つの位置は、ピン2が引っ込められた図1に示す解除位置と、当該ピンが突き出て、参照番号5で示すロックすべき工具または装置と係合する、図2に示すロック位置とである。
【００１２】
連結器1は、機械または作業用車両の部分、たとえば作業用車両たとえば掘削機のアーム7である、ボディー6に挿入されている。
【００１３】
図1および2に示す、本発明の第一の実施形態においては、迅速連結器は、液圧ピストン4を有し、当該ピストンは、ステム8によって、二つまたは四つのレバーアーム9および10を作動させる。図1および2には、四つのアームを備えた装置の二つのアームが示されている。
【００１４】
各レバーアーム9および10は、それぞれのピン2に軸ピン取り付けされ、ピン2は、横断方向の空洞内を摺動し、当該空洞を出ることにより、構造物5内に作られたそれぞれの係合受け座11にはいる。
【００１５】
斜めに取り付けられた補助ばね13は、このレバー機構の運動を助ける。
【００１６】
補助ばね13は、アーム9および10の運動を、特に解除ステップにおいて、ピストンのステムが引っ込んでピン2が図1に示すような解除位置に配置されるようにするときに、助ける。
【００１７】
同様の補助ばねは、本発明の連結器のその他のいろいろな実施形態においても使用することができ、その一部は以下で説明する。
【００１８】
本発明の連結器は、ピンが係合受け座から偶発的にはずれることを防ぐのに適した安全機構を備えることができる。
【００１９】
この安全装置を、図1および2に模式的に示す。この安全装置は、ばね12とそれぞれのピン2に連結されている剛性要素とからなる。
【００２０】
ばね12は、延びることによって作用し、したがって、このばねが圧縮されるときには、図1からわかるように、この迅速連結器は解除位置をとり、工具内に入れることができるようになる。
【００２１】
ピストン4の運動時には、ばね12が延びて、図2に示されているようなその自然な形状をとり、延びることによってピストン4の作用を助けて、その力がピンに作用して、迅速連結器の係合およびロック動作が行われる。
【００２２】
ばねが完全に延びきると、ピン2は、後退してその受け座からすべって装置からはずれるということができなくなる。ばねがロック方向に押し続けるからである。
【００２３】
ばね12は、ピストン4によって与えられる力に比して十分に小さな弾性率を有するので、当該ピストン4を押すことができ、したがって、受け座内のピンを引っ込めて装置から取りはずすようにできる。
【００２４】
したがって、これらのばねは、ピストンの故障、液圧回路の故障、その他の場合に、偶発的なはずれまたは解除に対する安全機構とみなすことができる。
【００２５】
この機構は、自動式であり、したがって当該分野で非常に実用的なものであり、作業者は、当該迅速連結器を取り付けるためにその座席を離れる必要がなく、これは従来の機構に比してかなりの利点となる。
【００２６】
図3および4には、全体を参照番号101で示す、本発明のもう一つの実施形態の迅速連結器を示す。この連結器は、それぞれのステム108によって二つのそれぞれのレバーアーム109および110を作動させる二つの液圧ピストン104を有する。
【００２７】
各レバーアーム110は、それぞれのピン2に軸ピン取り付けしてあり、ピン2は横断方向の空洞内を摺動し、当該空洞を出て、装置5に備えられたそれぞれの係合受け座11にはいる。
【００２８】
レバーアーム109は、相互に軸ピン旋回する。
【００２９】
図5には、本発明のもう一つの実施形態の迅速連結器を参照番号201で示す。この連結器は、液圧ピストン204を有し、これらのピストンは、ピン2の摺動方向に平行に配置されているという特徴を有する。
【００３０】
二つのピストン204は、それぞれのステム208によって、それぞれのレバーアーム209を作動させる。レバーアーム209は、軸ピン取り付け点213のまわりに相互に旋回する。
【００３１】
アーム209は、その自由端がそれぞれ第二のレバーアーム210に取り付けられ、後者は、それぞれのピン2に軸ピン取り付けされている。
【００３２】
ピン2は、それぞれの横断方向空洞内を摺動し、当該空洞を出ることによって、装置5に備えられたそれぞれの係合受け座11にはいる。
【００３３】
図6および7には、本発明のもう一つの実施形態の迅速連結器を参照番号301で示す。この連結器は、二つの液圧ピストン304を有し、これらは相互に平行にまたピン2の摺動方向に平行に配置されている。
【００３４】
二つのピストン304は、それぞれのピン2を直接に駆動し、ピン2は、それぞれの空洞内を摺動し、当該空洞を出ることによって、装置5に備えられたそれぞれの係合受け座11にはいる。
【００３５】
図8には、本発明のもう一つの実施形態の迅速連結器を参照番号401で示す。この連結器は、単一の複動液圧ピストン404を有し、このピストンは、それぞれのロックピン2に直接に作用する二つの相互に反対方向に作動するステム408を有する。
【００３６】
図9には、本発明のもう一つの実施形態の迅速連結器を、参照番号501で示す。この連結器はピストンの代わりに作動レバー504を有する。作動レバー504は、中心510のまわりに回転する要素509に軸ピン取り付けされた自由端を有する作動ステム508を有する。
【００３７】
二つのレバーアーム511の端は、回転要素509に、回転要素509の半径方向の反対位置で軸ピン取り付けされ、これらのアームの自由端はそれぞれピン2に軸ピン取り付けされている。
【００３８】
作動レバー504の動作により、回転要素509の回転が引き起こされ、したがって、ピン2の摺動が起こり、ボディー5のロックおよび解除がなされる。
【００３９】
図21および22には、本発明のもう一つの実施形態の迅速連結器を参照番号601で示す。この連結器はウォームスクリュー604を有する。ウォームスクリュー604は、ピン602と同軸に配置されている。ウォームスクリュー604は、ピンに連結された端を有する。
【００４０】
ウォームスクリュー604の回転により、ピン602の軸方向運動が起こり、ピン602は、それぞれの横断方向空洞内を摺動し、当該空洞を出ることにより、装置に備えられたそれぞれの係合受け座にはいる。
【００４１】
ウォームスクリュー604は、手操作によっても、機械の内部または外部に備えうる機械的作動機構によっても、作動させることができる。
【００４２】
図23および24には、本発明のもう一つの実施形態の迅速連結器を、参照番号701で示す。この連結器は、ラック機構704を有し、このラック機構は、ピニオン709を作動させるラック708を備えている。ピニオン709は、ピン702と同軸のシャフト710に連結されている。シャフト710の端は、当該ピンに連結されている。
【００４３】
シャフト710の回転により、ピン702の軸方向運動が起こり、当該ピンがそれぞれの横断方向空洞内を摺動し、空洞から出ることにより、装置に備えられたそれぞれの係合受け座にはいる。
【００４４】
ラック708は、手操作によっても、機械の内部または外部に備えうる機械的作動機構によっても、作動させることができる。
【００４５】
図10は、作業用車両に連結器を使用する例を示し、車両のアームにバケットを取り付けることからなる。
【００４６】
この例でいえば、迅速連結器1の部分が作業用車両内部すなわちそのアーム7の内部に配置され、その作用をバケット部分55の一端に及ぼす。連結器1の他の部分は、ボディー6の内部にあって、その作用をバケット部分55の他端に及ぼす。
【００４７】
図11〜15には、連結器の機械の連結要素への使用を示す。同じ連結器を、必要に応じて、機械のアーム内、または機械の要素部品たとえばリンク内に使用することができる。
【００４８】
図16〜20は、本発明のいろいろな実施形態を示す図である。
【００４９】
図25には、本発明のもう一つの実施形態の迅速連結器を、参照番号801で示す。
【００５０】
連結器801は、ボディー806に形成された空洞内に摺動自在に配置されたピン2を有している。
【００５１】
ピン2は、実質的に無垢で、滑らかである。各ピン2は、内端21と外端22とを有している。二つの内端21は互いに向き合っており、外端22は、連結器がそのロック位置にあるとき、図25に破線で示すように、ボディー806から突き出ている。
【００５２】
複動液圧シリンダー804が、ボディー806に取り付けられた支持円筒805に取り付けられている。
【００５３】
液圧シリンダー804は、スライダー802に連結されたピストン803を有している。スライダー802は、ピストン803の動作により、支持円筒805内を摺動するようになっている。
【００５４】
二つのリンク809と810は、スライダー802とピストン2の内端21に関節でつながれている。したがって、ピストン803の運動により、ピン2が空洞内を摺動し、空洞を出ることにより、装置5に備えられたそれぞれの係合受け座11にはいる。
【００５５】
本発明の迅速連結器は、任意のタイプの従来の機械、たとえば図10に示す掘削機、に使用することができる。
【００５６】
本発明の迅速連結器は、既存の機械または新しい機械に適したキットとして提供することができる。
【００５７】
本発明の迅速連結器は、また、農業用機械たとえばコンバインにも使用することができる。このとき、収穫のための装置を伸縮式リフターに交換する必要がある場合に、アームの先端に配置された工具たとえばフォーク、ミキサーその他を、作業者にとって安全かつ簡便に、数秒で交換することができる。
【００５８】
コンバインにおいて、アームが連結されて回転のための力を及ぼすとき、連結器は、機械の内部に取り付けられ、伸縮式リフターにおいて、伸縮式末端が存在する場合、当該連結器はアームの先端にあり、またこの場合、どんな種類の枠組みまたは支持構造物またはラフトも存在する必要がない場合、この連結器はアーム内に配置される。
【００５９】
土木機械、たとえば、前部または後部ローダーを有する、タイヤ付きまたはトラック上の掘削機、バックホー、小型掘削機のための迅速連結器キットが、前述のものの例として提供される。
【００６０】
本発明の迅速連結器のすべての実施形態は、完全に信頼できるやり方で迅速連結器のロックを保証することのできる安全機構を備えることができる。このとき、安全機構は、ピストンの動力供給機構が故障した場合でも、連結器の開放を防止し、したがって、ピンがはずれた場合でも、装置がはずれるのを防止する。
【００６１】
ピストンの故障、液圧回路の故障、その他の場合の、偶発的なはずれに対する安全機構として、ばね機構の代わりに、ピンのためのはめ合わせスロットからなる別の安全機構を構成することができる。
【００６２】
この機構は、ピストン構造からのオイル漏れ、ステムの損傷、レバー機構の損傷の場合にも、迅速連結器のロック、すなわち装置との連結を保証することができ、したがってどの点からみても作業の安全性を絶対的に保証するものである。
【００６３】
本発明の連結器は、意図する包括的目的および個別的目的を実際に達成するものであることがわかった。
【００６４】
従来の迅速連結器にまさるこの連結器の特徴は、この連結器が作業用車両のアームの内部にあり、また第二のピンのための外部要素を有するということにある。
【００６５】
本発明の迅速連結器は、従来の迅速連結器において、取り付けられる装置の回転時に歯における半径が大きくなるという大寸法の問題を解決するものである。
【００６６】
本発明の装置の利点は、いくつかある。
【００６７】
まず第一に、本発明の連結器を使用する機械は、その厚さのためにアームを延ばす必要のある従来の迅速連結器と異なり、ピンがそのときに存在する、製造者が意図する位置に装置を配置することができる。したがって、従来の迅速連結器を使用する装置の貫入力、突き出し力、回転能力が、15〜20%減少させられる。
【００６８】
もう一つの利点は、製造者が与える初期特性、すなわちピンによる係合における連結器の安全性ということであり、すなわち機械と装置との間の結合要素として作用すべき第二の構造物を備える必要がないということである。
【００６９】
本発明の連結器のピストンを動かすための液圧または動力システムは、“クランプ-ハンマー”のために現在普通に使用されているもの、または特別に設計されたもののどちらでもよい。
【００７０】
この連結器は、大きなものから小さなものまでどんな大きさの作業用車両にも使用することができる。
【００７１】
強調すべきことは、この迅速連結器は、掘削機におけるアーム上の装置の交換のために、伸縮式リフターにおける伸縮式アーム先端の装置の交換のために、コンバインにおけるいろいろな農作物の脱穀のためのいろいろな工具の交換のために、使用することができる、ということである。前述の例はすべて、本発明の用途の概念的新規性の一体部分である。
【００７２】
この迅速連結器キットは、操作要件および装置交換の技術的必要に応じて交換できるいくつかのユニットからなる個別の機械に対して使用することができる、
【００７３】
本発明の連結器のピンは、同様の機械のために従来の連結器で使用されているピンよりも短い。
【００７４】
本発明の迅速連結器は、機械およびその工具の形態を変えるものではない。
【００７５】
この迅速連結器は、作業用車両の運転席から作動させることができる。
【００７６】
本特許出願は、イタリア特許出願第GE2009A000003号(2009年1月23日出願)の優先権を主張するものである。同出願の明細書の記載事項を参照されたい。
【図面の簡単な説明】
【００７７】
【図１】解除位置にある本発明の迅速連結器の模式部分断面図である。
【図２】ロック位置にある本発明の連結器を示す、前図と同様の図である。
【図３】解除位置にあるもう一つの実施形態の迅速連結器の模式部分断面図である。
【図４】ロック位置にある前図の連結器を示す前図と同様の図である。
【図５】解除位置にあるもう一つの実施形態の迅速連結器の模式部分断面図である。
【図６】解除位置にあるもう一つの実施形態の迅速連結器の模式部分断面図である。
【図７】ロック位置にある前図の連結器を示す前図と同様の図である。
【図８】ロック位置にあるもう一つの実施形態の迅速連結器の模式部分断面図である。
【図９】ロック位置にあるもう一つの実施形態の迅速連結器の模式部分断面図である。
【図１０】作業用車両に対する連結器の使用例を示す斜視図である。
【図１１】本発明による迅速連結器を備えた機械の部分の斜視図である。
【図１２】ピンが突き出た状態の連結器を示す前図と同様の図である。
【図１３】反対側から見た図11の連結器の斜視図である。
【図１４】本発明のもう一つの側面による迅速連結器を備えた機械の部分の斜視図であり、連結器の作動ピストンが見えている。
【図１５】ピンが突き出た位置にある前図と同様の図である。
【図１６】本発明の連結器を備えた機械のもう一つの要素部分を示す斜視図である。
【図１７】二つの作動ピストンを有する本発明のもう一つの実施形態の連結器を備えた前図の要素部分の斜視図である。
【図１８】二つの作動ピストンを有する本発明のもう一つの実施形態の連結器を備えた前図の要素部分の斜視図である。
【図１９】ロックピンに平行に配置された二つの作動ピストンを有する本発明のもう一つの実施形態の連結器を備えた前図の要素部分の斜視図である。
【図２０】二つの作動ピストンを有する本発明のもう一つの実施形態の連結器を備えた前図の要素部分の斜視図である。
【図２１】解除位置にあるもう一つの実施形態の迅速連結器の部分断面正面図である。
【図２２】ロック位置にある前図の連結器を示す前図と同様の図である。
【図２３】解除位置にあるもう一つの実施形態の迅速連結器の部分断面正面図である。
【図２４】前図の連結器の作動手段の部分側面図である。
【図２５】解除位置にある本発明の連結器の部分断面正面図である。
【符号の説明】
【００７８】
1  本発明の迅速連結器
2  ロックピン
3  リンク機構
4  作動手段(ピストン)
5  ロックすべき工具または装置(構造物)
6  ボディー
7  アーム
8  ステム
9  レバーアーム
10  レバーアーム
11  係合受け座
12  ばね
13  補助ばね
21  内端
22  外端
55  バケット部分
101  本発明の迅速連結器
104  液圧ピストン
108  ステム
109  レバーアーム
110  レバーアーム
201  本発明の迅速連結器
204  液圧ピストン
208  ステム
209  レバーアーム
210  レバーアーム
213  軸ピンの取り付け点
301  本発明の迅速連結器
304  液圧シリンダー
401  本発明の迅速連結器
404  複動液圧ピストン
408  ステム
501  本発明の迅速連結器
504  作動レバー
508  作動ステム
509  回転要素
510  中心
511  レバーアーム
601  本発明の迅速連結器
602  ピン
604  ウォームスクリュー
701  本発明の迅速連結器
702  ピン
704  ラック機構
708  ラック
709  ピニオン
710  702と同軸のシャフト
801  本発明の迅速連結器
802  スライダー
803  ピストン
804  液圧シリンダー
805  支持円筒
806  ボディー
809  リンク
810  リンク
【図１】
2012515864.tif 000003
【図２】
2012515864.tif 000004
【図３】
2012515864.tif 000005
【図４】
2012515864.tif 000006
【図５】
2012515864.tif 000007
【図６】
2012515864.tif 000008
【図７】
2012515864.tif 000009
【図８】
2012515864.tif 000010
【図９】
2012515864.tif 000011
【図１０】
2012515864.tif 000012
【図１１】
2012515864.tif 000013
【図１２】
2012515864.tif 000014
【図１３】
2012515864.tif 000015
【図１４】
2012515864.tif 000016
【図１５】
2012515864.tif 000017
【図１６】
2012515864.tif 000018
【図１７】
2012515864.tif 000019
【図１８】
2012515864.tif 000020
【図１９】
2012515864.tif 000021
【図２０】
2012515864.tif 000022
【図２１】
2012515864.tif 000023
【図２２】
2012515864.tif 000024
【図２３】
2012515864.tif 000025
【図２４】
2012515864.tif 000026
【図２５】
2012515864.tif 000027
【国際調査報告】
2012515864.tif 000028
2012515864.tif 000029
2012515864.tif 000030